(57)【要約】【課題】雄端子が相手コネクタとの接続位置に対応した配置で保持され、かつ簡易な構成で防水性を有するＬＥＤ実装基板収容容器を提供すること。【解決手段】ＬＥＤ素子１１２および雄端子１１１が設けられた配線板１１０を収容するＬＥＤ実装基板収容容器１であって、端部内周面１０ａが相手コネクタ２００の端部外周面２０３を覆い、シール材配置部１４ａが設けられた嵌合部１４と、配線板１１０の固定位置を定める当接部１７とを有してなる透光性のハウジング１０と、雄端子１１１が挿通可能、かつ相手コネクタ２００に対応配置された挿通孔２１が形成された板状部材からなる雄端子位置固定部２０と、方向Ｄに雄端子位置固定部２０および配線板１１０をガイドするガイド部１５とを有してなり、雄端子位置固定部２０は、雄端子１１１の先端が挿通孔２１に挿入されて配線板１１０とハウジング１０内に収容され、かつ配線板１１０に比して開口１２ａ近くに配置される。【選択図】図１
2012129046.tif 000002
【特許請求の範囲】
【請求項１】
ＬＥＤ素子が実装され、かつ雄端子が設けられた配線板を収容するＬＥＤ実装基板収容容器であって、
一面を開口した箱型形状の開口側端部内周面が前記雄端子の接続相手となる相手コネクタの端部外周面を覆うように形成され、密閉性を有するシール材を配置させるシール材配置部が設けられた嵌合部と、前記配線板に当接されることによって前記配線板の前記相手コネクタの挿入方向での固定位置を定める当接部と、を有してなる透光性のハウジングと、
前記雄端子が挿通可能、かつ前記相手コネクタの端子に対応配置された挿通孔が形成された板状部材である雄端子位置固定部と、
前記相手コネクタの挿入方向に移動可能に前記雄端子位置固定部および前記配線板をガイドするガイド部と、
を有してなり、
前記配線板が当該ＬＥＤ実装基板収容容器内に収容される場合、
前記雄端子位置固定部は、
前記雄端子の少なくとも先端部分が前記挿通孔に挿入された状態で前記配線板とともに前記ハウジング内に収容され、かつ前記配線板に比して前記ハウジングの開口近くに配置されることを特徴とするＬＥＤ実装基板収容容器。
【請求項２】
前記ガイド部は、
前記ハウジング内面に設けられた溝またはリブを有してなることを特徴とする請求項１に記載のＬＥＤ実装基板収容容器。
【請求項３】
前記ハウジングが、
前記相手コネクタに嵌合された場合、前記当接部と、前記雄端子位置固定部とによって前記配線板が挟持固定されることを特徴とする請求項１または２に記載のＬＥＤ実装基板収容容器。
【請求項４】
前記当接部は、
前記ハウジングの底面を形成する壁の内側表面であることを特徴とする請求項１、２または３に記載のＬＥＤ実装基板収容容器。
【発明の詳細な説明】
【技術分野】
【０００１】
本発明は、ＬＥＤ素子が実装され、かつ雄端子が設けられた配線板を収容するＬＥＤ実装基板収容容器に関する。
【背景技術】
【０００２】
従来、ＬＥＤ（発光ダイオード）素子が実装された配線板を収容するＬＥＤ実装基板収容容器は、コネクタとしての機能を付加させるため、配線板に雄端子を設けるようにしたものがある。このようなコネクタ機能を付加されたＬＥＤ実装基板収容容器は、多様な場所に配置されるので、防水性を有することが要求されている。
しかも、このようなＬＥＤ実装基板収容容器は雄端子が相手コネクタの雌端子と接続されるため、雄端子の相手コネクタとの接続部分が、相手コネクタとの接続位置に対応した配置で容器外に露出されなければならない。すなわち、雄端子が相手コネクタとの接続位置に対応した配置で保持されていることが重要となる。このため、雄端子が相手コネクタとの接続位置に対応した配置で保持され、かつ防水性を有する雄端子を設けられた配線板を収容する防水コネクタが提案されている（例えば、特許文献１参照）。
【０００３】
この特許文献１に記載された配線板収容容器は、図１２に示すように、雄端子を設けられた配線板３１０を収容する配線板収容容器３００を有してなる防水コネクタであり、配線板３１０を後端部方向から挿入可能な開口３２１を有する箱状のケース３２０を備える一方、相手コネクタ４００と結合する雄コネクタ３３０の内周面に配線板３１０の前端部が固定されて、この配線板３１０を後端部方向から開口３２１に挿入したときに、開口３２１に嵌め込まれる雄コネクタ３３０の嵌め込み部の外周面に開口３２１の内周面に密接するシーリング３４０が取り付けられている。
【先行技術文献】
【特許文献】
【０００４】
【特許文献１】特開平１０−１７２６４３号公報
【発明の概要】
【発明が解決しようとする課題】
【０００５】
しかしながら、特許文献１に記載の配線板収容容器３００は、雄コネクタ３３０との嵌め込み部に設けられるシーリング３４０に加え、相手コネクタ４００との間にもシーリング４１０を設けなければならないため、シーリング３４０およびシーリング４１０の２箇所のシーリングが必要となり、結果的に構成が複雑になってしまうという問題があった。
【０００６】
本発明は、上記に鑑みてなされたものであって、雄端子が相手コネクタとの接続位置に対応した配置で保持され、かつ簡易な構成で防水性を有するＬＥＤ実装基板収容容器を提供することを目的とする。
【課題を解決するための手段】
【０００７】
上述した課題を解決し、目的を達成するために、本発明の請求項１にかかるＬＥＤ実装基板収容容器は、ＬＥＤ素子が実装され、かつ雄端子が設けられた配線板を収容するＬＥＤ実装基板収容容器であって、一面を開口した箱型形状の開口側端部内周面が前記雄端子の接続相手となる相手コネクタの端部外周面を覆うように形成され、密閉性を有するシール材を配置させるシール材配置部が設けられた嵌合部と、前記配線板に当接されることによって前記配線板の前記相手コネクタの挿入方向での固定位置を定める当接部と、を有してなる透光性のハウジングと、前記雄端子が挿通可能、かつ前記相手コネクタの端子に対応配置された挿通孔が形成された板状部材からなる雄端子位置固定部と、前記相手コネクタの挿入方向に移動可能に前記雄端子位置固定部および前記配線板をガイドするガイド部と、を有してなり、前記配線板が当該ＬＥＤ実装基板収容容器内に収容される場合、前記雄端子位置固定部は、前記雄端子の少なくとも先端部分が前記挿通孔に挿入された状態で前記配線板とともに前記ハウジング内に収容され、かつ前記配線板に比して前記ハウジングの開口近くに配置されることを特徴とする。
【０００８】
また、本発明の請求項２にかかるＬＥＤ実装基板収容容器は、上記の発明において、前記ガイド部は、前記ハウジング内面に設けられた溝またはリブを有してなることを特徴とする。
【０００９】
また、本発明の請求項３にかかるＬＥＤ実装基板収容容器は、上記の発明において、前記ハウジングが、前記相手コネクタに嵌合された場合、前記当接部と、前記雄端子位置固定部とによって前記配線板が挟持固定されることを特徴とする。
【００１０】
また、本発明の請求項４にかかるＬＥＤ実装基板収容容器は、上記の発明において、前記当接部は、前記ハウジングの底面を形成する壁の内側表面であることを特徴とする。
【発明の効果】
【００１１】
本発明の請求項１にかかるＬＥＤ実装基板収容容器は、ハウジング１０が相手コネクタ２００を嵌合するように嵌合部１４が形成されているため、この嵌合部１４にシール材ＳＬを設けるのみで防水することが可能であり、しかも、雄端子固定部２０の挿通孔２１によって雄端子１１１を相手コネクタ２００との接続位置に対応した配置で保持させ、相手コネクタ２００の挿入方向Ｄでの移動においてもリブ１５によって、雄端子固定部２０および配線板１１０がガイドされ、この配置を保持し続けることができるので、雄端子１１１が相手コネクタ２００との接続位置に対応した配置で保持され、かつ簡易な構成で防水性を有する。
【００１２】
本発明の請求項２にかかるＬＥＤ実装基板収容容器は、上述した請求項１と同様の効果を奏するとともに、前記ガイド部は、前記ハウジング内面に設けられた溝またはリブを有してなるので、前記相手コネクタの挿入方向での移動においても簡易な構成で前記相手コネクタとの接続位置に対応した配置で前記雄端子を保持させることができる。
【００１３】
本発明の請求項３にかかるＬＥＤ実装基板収容容器は、上述した請求項１と同様の効果を奏するとともに、前記ハウジングが、前記相手コネクタに嵌合された場合、前記当接部と、前記雄端子位置固定部とによって前記配線板が挟持固定されるので、前記配線板を前記ハウジング内で確実に固定することができる。
【００１４】
本発明の請求項４にかかるＬＥＤ実装基板収容容器は、上述した請求項１と同様の効果を奏するとともに、前記ハウジングの底面を形成する壁の内表面によって、前記配線板の挿入方向での固定位置を定めることができるので、簡易な構成とすることができる。
【図面の簡単な説明】
【００１５】
【図１】図１は、本発明の実施形態にかかるＬＥＤ実装基板収容容器を有してなるＬＥＤ照明ユニットおよびＬＥＤ照明ユニットの雄端子と接続する雌端子が設けられた相手コネクタを示した図である。
【図２】図２は、本発明の実施の形態にかかるＬＥＤ実装基板収容容器の斜視図である。
【図３】図３は、図２に示したＬＥＤ実装基板収容容器を前側から視た図である。
【図４】図４は、図３に示したＬＥＤ実装基板収容容器のＡ−Ａ線断面図である。
【図５】図５は、図１に示した、配線板の斜視図である。
【図６】図６は、図１に示したハウジングの斜視図である。
【図７】図７は、図６に示したハウジングを前側から視た図である。
【図８】図８は、図１に示した雄端子位置固定部の斜視図である。
【図９】図９、本発明の実施の形態にかかるＬＥＤ実装基板収容容器を有してなるＬＥＤ照明ユニットと、相手コネクタとが接続されるまでの各部の動きを示した図である。
【図１０】図１０は、本発明の実施の形態にかかるＬＥＤ実装基板収容容器を有してなるＬＥＤ照明ユニットと、相手コネクタとが接続されるまでの各部の動きを示した図である。
【図１１】図１１は、図１に示したハウジングの変形例を示した図である。
【図１２】図１２は、従来例を説明するための図である。
【発明を実施するための形態】
【００１６】
以下、図面を参照して、本発明にかかるＬＥＤ実装基板収容容器の好適な実施の形態を詳細に説明する。
【００１７】
（実施の形態）
図１は、本発明の実施形態にかかるＬＥＤ実装基板収容容器１を有してなるＬＥＤ照明ユニット１００およびＬＥＤ照明ユニット１００の雄端子１１１と接続する雌端子が設けられた相手コネクタ２００を示した図である。図２は、本発明の実施の形態にかかるＬＥＤ実装基板収容容器１の斜視図である。図３は、図２に示したＬＥＤ実装基板収容容器１を前側から視た図である。図４は、図３に示したＬＥＤ実装基板収容容器１のＡ−Ａ線断面図である。図５は、図１に示した、配線板１１０の斜視図である。図６は、図１に示したハウジング１０の斜視図である。図７は、図６に示したハウジング１０を前側から視た図である。図８は、図１に示した雄端子位置固定部２０の斜視図である。
なお、便宜上、図中矢印方向を、前方向、後方向、上方向、下方向として説明する。
図１に示すように、ＬＥＤ照明ユニット１００は、配線板１１０およびＬＥＤ実装基板収容容器１を有してなる。
【００１８】
ＬＥＤ照明ユニット１００は、雄端子１１１が相手コネクタ２００との図示しない雌端子と接続されることによって、ＬＥＤ素子１１２の点灯を行うものである。なお、相手コネクタ２００は、端部外周面２０３にシール材ＳＬが設けられている。
配線板１１０は、いわゆるプリント配線板によって実現され、電源回路等の導体パターンが形成されている。この配線板１１０は、図５に示すように、基板表面にＬＥＤ素子１１２が実装されている。また、配線板１１０は、基板上に３つの雄端子１１１が設けられ、この雄端子１１１が、図１に示すように、相手コネクタ２００の挿入部２０１に挿入され、この挿入部２０１内に設けされた図示しない雌端子に接続される。
【００１９】
ＬＥＤ素子１１２は、箱状のパッケージの上面に発光部があり、図示しない電源入力端子が配線板１１０の図示しない電源回路に接続されている。このＬＥＤ素子１１２は、電源回路を介して電源を供給されることによって点灯する。また、図示しない電源回路は、基板上に設けられた雄端子１１１に接続される。この雄端子１１１は、棒状の金属部材からなり、相手コネクタ２００の挿入部２０１に挿入される直線状の接続部１１１ａを配線板１１０の表面の法線に直交するようにして配線板１１０に取り付けされている。
なお、配線板１１０は、３つの雄端子１１１が設けられるものを例示したが、これに限らず、２つ以上の雄端子１１１が設けられていればよい。
【００２０】
つぎに、ＬＥＤ実装基板収容容器１について説明する。ＬＥＤ実装基板収容容器１は、図１に示すように、ハウジング１０と、ハウジング１０内で相手コネクタ２００の挿入方向Ｄに移動可能に設けられた雄端子位置固定部２０を有してなる。
【００２１】
ハウジング１０は、透光性の材料からなる。このハウジング１０は、ハウジング１０の底面を形成する外形が４角形状の板状壁１１と、板状壁１１の４辺より立設する周側壁１２とを有してなり、板状壁１１に対向する一面に開口１２ａが形成された箱型形状である。
また、ハウジング１０は、収容部１３と、嵌合部１４と、リブ１５と、仮固定部１６と、当接部１７と、係合部１８とを有してなる。
【００２２】
収容部１３は、配線板１１０が収容される収容部である。この収納部１３は、板状壁１１を含むハウジング１０の後方領域を形成する部分である。
【００２３】
嵌合部１４は、ハウジング１０の開口側端部内周面１０ａが相手コネクタ２００の端部外周面２０３を覆うように形成され、密閉性を有するシール材ＳＬを配置させるシール材配置部１４ａが設けられている。
この、シール材配置部１４ａは、ハウジング１０の開口側端部１０ａの開口を大きく形成された部分である。このシール材配置部１４ａによって、開口側端部内周面１０ａと、相手コネクタ２００の端部外周面２０３との間にシール材ＳＬを配置させる間隙が形成される。これにより、ハウジング１０と相手コネクタ２００とが嵌合した場合、その嵌合部分にシール材ＳＬを配置させて防水性を高めることができる。なお、この実施の形態では、相手コネクタ２００の端部外周面にシール材ＳＬを設けるものを例示したが、これに限らない。例えば、ハウジング１０のシール材配置部１４ａにシール材ＳＬを設けるようにしてもよい。
【００２４】
リブ１５は、ガイド部として雄端子位置固定部２０を挿入方向Ｄで移動可能にガイドするものである。このリブ１５は、図６に示すように、向かい合う周側壁１２のそれぞれの内面に、開口１２ａから板状壁１１に向けて直線状に形成されている。また、リブ１５は、図３に示すように、雄端子位置固定部２０に形成された後述する一対のガイド片２２がリブ１５の溝１５ａ内に挿入されることによって雄端子位置固定部２０を挿入方向Ｄで移動可能にガイドしている。すなわち、リブ１５とガイド片２２によってガイド部としての機能をなしている。
【００２５】
また、リブ１５は、ガイド部として配線板１１０を挿入方向Ｄで移動可能にガイドするものでもある。より具体的には、このリブ１５は、配線板１１０の対向する端部の各端部がリブ１５によって形成された各溝１５ａ内に挿入されることによって配線板１１０を挿入方向Ｄの移動で移動可能にガイドしている。
【００２６】
仮固定部１６は、雄端子位置固定部２０をハウジング１０内の開口１２ａ付近に固定させるものである。この仮固定部１６は、図７に示すように、ハウジング１０の対向する周側壁１２のそれぞれの内面から突出して形成された一対の表面半球面状の凸部である。
この一対の仮固定部１６は、図４に示すように、雄端子位置固定部２０の後述する半球突出部２３の厚み分だけ挿入方向Ｄでずらして設けられている。また半球突出部２３と仮固定部１６とは接触するように設けられている。このため、半球突出部２３が挿入方向Ｄで一対の仮固定部１６の間に位置されることによって、雄端子位置固定部２０が固定される。
【００２７】
ここで、仮固定部１６および半球突出部２３は、それぞれ表面が球面形状であり、接触面積を小さくするように形成されているので、雄端子位置固定部２０に相手コネクタ２００の挿入方向への押圧がかかると、容易に固定状態を解除させて雄端子位置固定部２０を挿入方向Ｄで移動させることができる。すなわち、雄端子位置固定部２０は、仮固定部１６によって仮固定されることになる。
【００２８】
当接部１７は、配線板１１０に当接されることによって配線板１１０の挿入方向Ｄでの固定位置を定めるものである。この実施の形態では、板状壁１１の内側表面が当接部１７として機能している。すなわち、図１に示すように、配線板１１０が、挿入方向Ｄに移動された場合、挿入方向後側の端面１１０ａが板状壁１１の内面に当接された配線板１１０の位置が配線板１１０の挿入方向Ｄでの固定位置とされる。
【００２９】
係合部１８は、相手コネクタ２００に形成された凹部２０２に係合するものである。この係合部１８は、図２に示すように、周側壁１２に形成され、後方に向けて漸次厚みを増すように傾斜して形成された傾斜面１８ａを有してなる。係合部１８は、相手コネクタ２００と、ハウジング１０とが嵌合した場合、凹部２０２と係合される。このため、相手コネクタ２００とハウジング１０とが嵌合を保持させるための保持力を加えられた状態で嵌合状態が維持される。なお、係合部１８は、これに限らず、相手コネクタ２００との嵌合状態を維持させることができれば、その他の係合部を用いてもよい。
【００３０】
つぎに、雄端子位置固定部２０について説明する。雄端子位置固定部２０は、雄端子１１１が挿通可能、かつ相手コネクタ２００の端子に対応配置された挿通孔２１が形成されたものである。
より具体的には、雄端子位置固定部２０は、図３および図８に示すように、板状の部材からなり、外形がハウジング１０の開口１２ａ形状にほぼ等しい形状で形成されている。また、雄端子位置固定部２０は、３つの挿通孔２１と、一対のガイド片２２と、一対の半球突出部２３とを有してなる。
【００３１】
各挿通孔２１は、雄端子１１１を挿通可能に形成された孔であり、雄端子１１１の接続部１１１ａの延びる方向に直交する雄端子１１１の断面外形にほぼ等しい形状で形成されている。また、各挿通孔２１は、ハウジング１０と相手コネクタ２００とが嵌合した場合、各雄端子１１１が対応する各挿入部２０１に挿入される位置（以下、端子接続位置という。）に固定するようになっている。
【００３２】
この実施の形態では、雄端子位置固定部２０に３つの挿通孔２１が形成されるものを例示したが、挿通孔２１の数は３つに限定されず、挿通させる雄端子１１１の数に応じた数の挿通孔２１が形成されていればよい。例えば、挿通させる雄端子１１１が４つである場合、挿通孔２１は、４つ形成するようにしてもよい。
【００３３】
ガイド片２２は、ガイド部として雄端子位置固定部２０を挿入方向Ｄに移動可能にガイドするものである。このガイド片２２は、雄端子位置固定部２０の両側面から直線状に突出した一対の突出片である。
【００３４】
半球突出部２３は、雄端子位置固定部２０をハウジング１０内の開口１２ａ付近に固定させるものである。この半球突出部２３は、雄端子位置固定部２０の両側面のガイド片２２下方位置から表面半球面状に突出した一対の凸部である。
【００３５】
つぎに、図９および図１０を用いて、本発明の実施の形態にかかるＬＥＤ実装基板収容容器１を有してなるＬＥＤ照明ユニット１００と、相手コネクタ２００とが接続されるまでの各部の動きを説明する。図９および図１０は、本発明の実施の形態にかかるＬＥＤ実装基板収容容器１を有してなるＬＥＤ照明ユニット１００と、相手コネクタ２００とが接続されるまでの各部の動きを示した図である。
【００３６】
まず、雄端子１１１の先端を雄端子位置固定部２０の挿通孔２１に挿入させることによって雄端子位置固定部２０に配線板１１０を取り付けた状態でハウジング１０内の仮固定位置まで雄端子位置固定部２０を挿入する（図９（ａ）参照）。この雄端子位置固定部２０のハウジング１０内への挿入の際、雄端子位置固定部２０および配線板１１０は、リブ１５によってガイドされながらハウジング１０内に挿入されるので、相手コネクタ２００との端子接続位置を保持することができる。また、雄端子固定部２０は、仮固定部１６によって、ハウジング１０内で仮固定されるので、配線板１１０がハウジング１０外に脱落することを防止している。
【００３７】
その後、相手コネクタ２００がハウジング１０の開口１２ａから挿入される（図９（ｂ）参照）。この相手コネクタ２００の挿入により雄端子位置固定部２０が挿入方向Ｄに押圧され、配線板１１０とともにハウジング１０内で後方に向けて移動する。この、雄端子位置固定部２０および配線板１１０の移動においても、雄端子位置固定部２０および配線板１１０はリブ１５にガイドされながら移動するため、相手コネクタ２００との端子接続位置が保持される。
【００３８】
その後、さらに相手コネクタ２００が挿入方向Ｄに移動されると、配線板１１０の端面１１０ａが板状壁１１の当接部１７に当接される（図１０（ｃ）参照）。このように配線板１１０の一方の端面１１０ａが当接部１７に当接されることによって、配線板１１０は、ハウジング１０内挿入方向Ｄでの固定位置が定められる。
【００３９】
その後、配線板１１０が当接部１７に突き当てられた状態で相手コネクタ２００が挿入方向Ｄに移動されて、ハウジング１０と相手コネクタ２００とが嵌合される（図１０（ｄ）参照）。このように、配線板１１０が当接部１７に突き当てられた状態であるため、雄端子固定部２０が配線板１１０のもう一方の端面１１０ｂに当接するまで挿入方向Ｄに移動される。この雄端子固定部２０移動によって、雄端子２１の相手コネクタ２００との接続部１１１ａが挿通孔２１から相手コネクタ２００側に出され、相手コネクタ２００の挿入部２０１に挿入される。
また、嵌合が完了されると、雄端子固定部２０が配線板１１０の端面１１０ｂに当接され、配線板１１０が両端面１１０ａ，１１０ｂを雄端子固定部２０と当接部１７とによって挟持固定される。
また、雄端子固定部２０が、開口１２ａを塞ぐように収容部１３に配置されるので、ＬＥＤ素子１１２から発せれられる光がＬＥＤ実装基板収容容器１外に漏れることを防止している。このＬＥＤ素子１１２から光が出射した際、その光はハウジング１０の壁を透過してハウジング１０外に出射される。
また、シール材ＳＬが、シール材配置部１４ａに配置され、ハウジング１０と相手コネクタ２００との嵌合部分がシールされる。
【００４０】
本発明の実施の形態のＬＥＤ実装基板収容容器１は、ハウジング１０が相手コネクタ２００を嵌合するように嵌合部１４が形成されているため、この嵌合部１４にシール材ＳＬを設けるのみで防水することが可能であり、しかも、雄端子固定部２０の挿通孔２１によって雄端子１１１を相手コネクタ２００との接続位置に対応した配置で保持させ、相手コネクタ２００の挿入方向Ｄでの移動においてもリブ１５によって、雄端子固定部２０および配線板１１０がガイドされ、この配置を保持し続けることができるので、雄端子１１１が相手コネクタ２００との接続位置に対応した配置で保持され、かつ簡易な構成で防水性を有する。
【００４１】
本発明の実施の形態のＬＥＤ実装基板収容容器１は、前記ガイド部がハウジング１０内面に設けられたリブ１５であるので、挿入方向Ｄでの移動においても簡易な構成で相手コネクタ２００との接続位置に対応した配置で雄端子１１１を保持させることができる。
【００４２】
また、本発明の実施の形態のＬＥＤ実装基板収容容器１は、ハウジング１０が、相手コネクタ２００に嵌合された場合、当接部１７と、雄端子位置固定部２０とによって配線板１１０を挟持固定することができるので、配線板１１０をハウジング１０内で確実に固定することができる。
【００４３】
また、本発明の実施の形態のＬＥＤ実装基板収容容器１は、ハウジング１０の底面を形成する板状壁１１によって、配線板１１０の挿入方向Ｄでの固定位置を定めることができるので、簡易な構成とすることができる。
【００４４】
また、本発明の実施の形態のＬＥＤ実装基板収容容器１は、雄端子固定部２０が仮固定部１６によって、ハウジング１０内で仮固定されるので、配線板１１０がハウジング１０外に脱落することを防止することができる。
【００４５】
また、本発明の実施の形態のＬＥＤ実装基板収容容器１は、ハウジング１０が相手コネクタ２００に嵌合された場合、雄端子固定部２０が開口１２ａを塞ぐように収容部１３に配置されるので、ＬＥＤ素子１１２から発せれられる光が開口１２ａ側からＬＥＤ実装基板収容容器１外に漏れることを防止することが可能となり、結果的にハウジング１０外に効率よく光を出射させることができる。
【００４６】
また、本発明の実施の形態のＬＥＤ実装基板収容容器１は、ハウジング１０が透光性を有するため、ＬＥＤ素子１１２から出射された光の強度を低下させないようにしてハウジング１０外に光を出射させることができる。
【００４７】
なお、本発明の実施の形態のＬＥＤ実装基板収容容器１は、ガイド部としてリブ１５を例示したが、これに限らない。例えば、図１１に示すように、ガイド部としてハウジング１０の内面に凹状に形成された溝１５ｂを用いてもよい。このように溝１５ｂをガイド部として用いた場合、挿入方向Ｄでの移動においても溝１５ｂによって、雄端子固定部２０および配線板１１０がガイドされ、相手コネクタ２００との端子接続位置を保持することができる。
【００４８】
また、本発明の実施の形態のＬＥＤ実装基板収容容器１は、雄端子位置固定部２０が、外形がハウジング１０の開口１２ａ形状にほぼ等しい形状で形成されているものを例示したが、これに限らない。すなわち、雄端子１１１が挿通可能、かつ相手コネクタ２００の端子の配置に対応させて配置された挿通孔２１が形成された板状部材であれば、その他の形状を用いてもよい。
【００４９】
また、本発明の実施の形態のＬＥＤ実装基板収容容器１は、ハウジング１０が仮固定部１６を有してなり、雄端子位置固定部２０が半球突出部２３を有してなるものを例示したが、これに限らない。すなわち配線板１１０がハウジング１０外に脱落することを防止することができればよい。例えば、ハウジング１０の開口１２ａ側に蓋等を設けて配線板１１０がハウジングから脱落しないようにしてもよい。
【００５０】
また、本発明の実施の形態のＬＥＤ実装基板収容容器１は、ハウジング１０が、外形が４角形状の板状壁１１と、板状壁１１の４辺より立設する周側壁１２とを有してなるものを例示したが、これに限らない。すなわち、一面が開口された箱形形状であれば、その他の形状であってもよい。例えば、ハウジング１０が有底の円筒容器であってもよい。
【００５１】
なお、この実施の形態によってこの発明が限定されるものではない。
【符号の説明】
【００５２】
１      ＬＥＤ実装基板収容容器
１０    ハウジング
１０ａ  端部内周面
１１    板状壁
１２    周側壁
１２ａ  開口
１３    収容部
１４    嵌合部
１４ａ  シール材配置部
１５    リブ
１５ａ、１５ｂ  溝
１６    仮固定部
１７    当接部
１８    係合部
１８ａ  傾斜面
２０    雄端子位置固定部
２１    挿通孔
２２    ガイド片
２３    半球突出部
１００  ＬＥＤ照明ユニット
１１０  配線板
１１０ａ、１１０ｂ  端面
１１１  雄端子
１１１ａ  接続部
１１２  ＬＥＤ素子
２００  相手コネクタ     
２０１  挿入部
２０２  凹部
２０３  端部外周面
ＳＬ    シール材
Ｄ      相手コネクタの挿入方向
【図１】
2012129046.tif 000003
【図２】
2012129046.tif 000004
【図３】
2012129046.tif 000005
【図４】
2012129046.tif 000006
【図５】
2012129046.tif 000007
【図６】
2012129046.tif 000008
【図７】
2012129046.tif 000009
【図８】
2012129046.tif 000010
【図９】
2012129046.tif 000011
【図１０】
2012129046.tif 000012
【図１１】
2012129046.tif 000013
【図１２】
2012129046.tif 000014